(57)【要約】【課題】装着時における蒸れの発生が防止されうる人体保護用具２の提供。【解決手段】この人体保護用具２は、本体６と、この本体６が収容されうる装着体８とを備えている。この本体６は、緩衝体１６を備えている。この緩衝体１６は、変形復元性を有する多孔質体２２と、この多孔質体２２を気密に包み込む袋体２４と、この緩衝体１６の内部に気体を吸入させる吸気手段と、この緩衝体１６の外部に気体を排出させる排気手段とを備えている。この吸気手段は、装着状態におけるこの緩衝体１６の反体表面側に配置されている。この排気手段は、装着状態におけるこの緩衝体１６の体表面側に配置されている。この緩衝体１６の内部に吸入される気体の単位時間当たりの量は、この緩衝体１６の外部に排出される気体の単位時間当たりの量よりも大きい。【選択図】図２
2007119956.tif 000002
【特許請求の範囲】
【請求項１】
本体と、この本体が収容されうる装着体とを備えており、
この本体が、緩衝体を備えており、
この緩衝体が、変形復元性を有する多孔質体と、この多孔質体を気密に包み込む袋体と、この緩衝体の内部に気体を吸入する吸気手段と、この緩衝体の外部に気体を排出する排気手段とを備えており、
この吸気手段が、装着状態におけるこの緩衝体の反体表面側に配置されており、
この排気手段が、装着状態におけるこの緩衝体の体表面側に配置されており、
この緩衝体の内部に吸入される気体の単位時間当たりの量が、この緩衝体の外部に排出される気体の単位時間当たりの量よりも大きい人体保護用具。
【請求項２】
上記本体が、装着状態における上記緩衝体の体表面側に、気体が通過しうる通気層を備えている請求項１に記載の人体保護用具。
【請求項３】
上記通気層が、三次元メッシュからなる請求項２記載の人体保護用具。
【請求項４】
上記本体が、乾燥剤を含んでいる請求項１から３のいずれかに記載の人体保護用具。
【請求項５】
本体と、この本体が収容されうる装着体とを備えており、
この本体が、緩衝体を備えており、
この緩衝体が、変形復元性を有する多孔質体と、この多孔質体を気密に包み込む袋体と、この緩衝体の内部に気体を吸入する吸気手段と、この緩衝体の外部に気体を排出する排気手段とを備えており、
この吸気手段が、装着状態におけるこの緩衝体の体表面側に配置されており、
この緩衝体の内部に吸入される気体の単位時間当たりの量が、この緩衝体の外部に排出される気体の単位時間当たりの量よりも大きい人体保護用具。
【請求項６】
上記本体が、装着状態における上記緩衝体の体表面側に、気体が通過しうる通気層を備えている請求項５に記載の人体保護用具。
【請求項７】
上記通気層が、三次元メッシュからなる請求項６に記載の人体保護用具。
【請求項８】
上記本体が、乾燥剤を含んでいる請求項５から７のいずれかに記載の人体保護用具。
【発明の詳細な説明】
【技術分野】
【０００１】
本発明は、転倒時におけるヒトへの衝撃を緩和する人体保護用具に関する。
【背景技術】
【０００２】
高齢者人口の増加に伴い、高齢者が転倒して骨折する事故が増えている。特に、大腿骨頸部骨折は、増加の傾向にある。この大腿骨頸部骨折の完全治癒には、時間がかかる。この大腿骨頸部骨折が原因で、高齢者が寝たきりとなってしまう事例もある。この大腿骨頸部骨折は大きな社会問題となりつつあり、その予防が強く求められている。
【０００３】
大腿骨頸部骨折を防止するために、種々の保護具の提案がなされている。例えば、特表平９−５０８８２４号公報には、人の大腿骨頚部周りの体型に合うように凹状の側面を備えたドーム形部材を有するヒッププロテクターが記載されている。このヒッププロテクターの表面全体は、剛性のポリプロピレンフォーム等の独立気泡形熱可塑性材料からなり、ドーム形の硬質なシェルとして形成されている。
【０００４】
上記のヒッププロテクターと同様にドーム型に形成されたシェルが大腿骨頸に相当部分をカバーするように収納されたズボンの提案もある（特表平１０−５１２０１６号公報）。このシェルは、偏平方向圧縮強度と横方向圧縮強度で規定される可撓性を備えている。これらは、剛性の高い外郭によるため、大きな衝撃に対する防護機能は、緩衝材のみからなるヒッププロテクターに比べて大きい。
【０００５】
剛性の高いプロテクターは、着用感が悪く常時着用するには適していない。特に就寝時には、寝返りの際に突き上げ感が生じる。剛性の高いプロテクターは、就寝時に身体から外される。骨折の発生する多くの場合は、寝床から離床するときであるといわれている。就寝時に外される必要のあるプロテクターでは、離床時の骨折は防止されない。
【０００６】
常時着用できる衣類装着用として、アクリル系共重合体からなる衝撃吸収パッドが提案されている（特開平９−２６８４０９号公報）。これは、着用して違和感のない軟らかさと、衝撃吸収機能とをバランスさせるものである。このパッドは、就寝時も着用されうる。しかし、このパッドの衝撃吸収性は十分ではない。
【０００７】
その用途がこの人体保護用具と異なるが、蒸れ防止機能を有する靴が、特開２００２−１０８０１公報に開示されている。この靴では、歩行運動による荷重変化が利用されて、靴内の気体が循環されうる。
【特許文献１】特表平９−５０８８２４号公報
【特許文献２】特表平１０−５１２０１６号公報
【特許文献３】特開平９−２６８４０９号公報
【特許文献４】特開２００２−１０８０１公報
【発明の開示】
【発明が解決しようとする課題】
【０００８】
人体保護用具が装着されると、体表面における換気が妨げられる。体表面にある気体がこの人体保護用具と体表面との間に滞留するために、体表面の温度はヒトの活動とともに上昇していく。体表面の温度が上がると、ヒトの体温調節中枢の働きによりヒトは発汗する。発汗により生じた水分がその気化時において熱を吸収することにより、体表面の温度が下げられる。人体保護用具が装着されて、換気が妨げられた状態では、発汗により生じた水分の気化が阻害される。この人体保護用具と体表面との間には、水分が貯まり、気体の湿度が上昇してしまう。体表面の温度が下げられることがないので、この気体の温度も上昇する。このような人体保護用具では、ヒトは蒸れを感じ、この蒸れを不快感として認識してしまう。
【０００９】
転倒時におけるヒトへの衝撃を緩和する上に、蒸れ防止が考慮されている人体保護用具は、現存しない。
【００１０】
上記公報の靴では、蒸れ防止が達成されるために、靴として必要とされる部品に加えてダイアフラム、気室、換気経路等の部品が必要とされる。部品点数が増えると、生産コストがあがってしまう。
【００１１】
本発明の目的は、装着時における蒸れの発生が防止されうる人体保護用具の提供にある。
【課題を解決するための手段】
【００１２】
本発明に係る人体保護用具は、本体と、この本体が収容されうる装着体とを備えている。この本体は、緩衝体を備えている。この緩衝体は、変形復元性を有する多孔質体と、この多孔質体を気密に包み込む袋体と、この緩衝体の内部に気体を吸入する吸気手段と、この緩衝体の外部に気体を排出する排気手段とを備えている。この吸気手段は、装着状態におけるこの緩衝体の反体表面側に配置されている。この排気手段は、装着状態におけるこの緩衝体の体表面側に配置されている。この緩衝体の内部に吸入される気体の単位時間当たりの量は、この緩衝体の外部に排出される気体の単位時間当たりの量よりも大きい。
【００１３】
好ましくは、この人体保護用具では、上記本体は、装着状態における上記緩衝体の体表面側に、気体が通過しうる通気層を備えている。好ましくは、この人体保護用具では、上記通気層は、三次元メッシュからなる。好ましくは、この人体保護用具では、上記本体は、乾燥剤を含んでいる。
【００１４】
本発明に係る人体保護用具は、本体と、この本体が収容されうる装着体とを備えている。この本体は、緩衝体を備えている。この緩衝体は、変形復元性を有する多孔質体と、この多孔質体を気密に包み込む袋体と、この緩衝体の内部に気体を吸入する吸気手段と、この緩衝体の外部に気体を排出する排気手段とを備えている。この吸気手段は、装着状態におけるこの緩衝体の体表面側に配置されている。この緩衝体の内部に吸入される気体の単位時間当たりの量は、この緩衝体の外部に排出される気体の単位時間当たりの量よりも大きい。
【００１５】
好ましくは、この人体保護用具では、上記本体は、装着状態における上記緩衝体の体表面側に、気体が通過しうる通気層を備えている。好ましくは、この人体保護用具では、上記通気層は、三次元メッシュからなる。好ましくは、この人体保護用具では、上記本体は、乾燥剤を含んでいる。
【発明の効果】
【００１６】
この人体保護用具は、装着状態における緩衝体の体表面側に、排気手段又は吸気手段が備えられているので、この緩衝体と体表面との間にある気体が循環しうる。このような人体保護用具では、蒸れが発生することはない。蒸れの発生が防止されるために、新たな部品が必要とされないので、部品点数がふえることはない。この人体保護用具では、生産コストが上がることもない。
【発明を実施するための最良の形態】
【００１７】
以下、適宜図面が参照されつつ、好ましい実施形態に基づいて本発明が詳細に説明される。
【００１８】
図１（ａ）は本発明の一実施形態に係る人体保護用具２の使用状態が示された正面図であり、図１（ｂ）はその側面図であり、図１（ｃ）はその背面図である。この図１には、ヒト４と人体保護用具２とが示されている。この人体保護用具２は、本体６と、この本体６が収容されうる装着体８とを備えている。この装着体８は、ヒト４に巻かれるベルト１０と、このベルト１０に吊された尻当て１２とを備えている。この尻当て１２は、左右一対のポケット１４を備えている。このポケット１４は、この本体６を収容する。この人体保護用具２では、この本体６が大腿骨頸部の直上に位置するように、このポケット１４は装着体８に配置されている。
【００１９】
図２は、図１の人体保護用具２の本体６が示された一部切り欠き斜視図である。図３は、図２のIII−III線に沿った断面図である。この本体６は、緩衝体１６と、通気層１８とを備えている。この緩衝体１６の平面形状は、矩形である。この緩衝体１６の典型的なサイズとしては、縦が１４０ｍｍであり、横が１４０ｍｍであり、そして厚みが２０ｍｍである。この通気層１８は、この緩衝体１６の一方の平面２０に積層されている。この人体保護用具２がヒト４に装着された時にこの通気層１８が体表面側に位置するように、この本体６はポケット１４に収容される。この図２及び図３おいて、その下側は装着状態における体表面側であり、その上側は装着状態における反体表面側である。
【００２０】
通気層１８は、気体が通過されうるように構成されている。この人体保護用具２では、この通気層１８は三次元メッシュである。この三次元メッシュでは、合成繊維から形成される編み目が三次元的に組み合わされている。なお、この通気層１８が、連続気泡を含むポリマー成形体で構成されてもよい。この通気層１８が、織布、不織布等からなる布地で構成されてもよい。この通気層１８が、三次元メッシュ、ポリマー成形体、布地等が組み合わされることにより形成されてもよい。
【００２１】
緩衝体１６は、多孔質体２２と、袋体２４と、吸気手段としての吸気弁２６と、排気手段としての弁シート２８とを備えている。
【００２２】
多孔質体２２は、ポリマー成形体である。図示されていないが、この多孔質体２２は、その内部に気泡を有する。特に、この多孔質体２２は、連続気泡を備えている。この多孔質体２２は荷重によって容易に変形し、荷重の除去によって直ちに復元する。この多孔質体２２に、複数の気泡と、これらの気泡が連通される通路とを備えたポリマー成形体が用いられてもよい。
【００２３】
袋体２４は、合成樹脂製のフィルムからなる。この袋体２４は、多孔質体２２を気密に包み込む。この袋体２４とこの多孔質体２２とは、接合されている。この袋体２４は、第一貫通孔３０と、第二貫通孔３２と、４の通気口３４とを備えている。この人体保護用具２では、この第一貫通孔３０と通気口３４とは、緩衝体１６の反体表面側の平面３６に位置する。この第一貫通孔３０は、この平面３６の中央に配置される。この４の通気口３４は、第一貫通孔３０から等しい距離に等しい間隔で配置されている。この第二貫通孔３２は、緩衝体１６の体表面側の平面２０の中央に配置される。
【００２４】
吸気弁２６は、支持体３８と、この支持体３８が中心とされて放射状に拡がる傘部４０とを備えている。この傘部４０は、上下に動きうる。この支持体３８が第一貫通孔３０に嵌め込まれることにより、この吸気弁２６は袋体２４に固定される。従って、この吸気弁２６は、装着状態における緩衝体１６の反体表面側に配置される。
【００２５】
弁シート２８は、筒体４４と、この筒体４４の中心に排気口４６とを備える。この筒体４４が第二貫通孔３２に嵌め込まれることにより、この弁シート２８は袋体２４に固定される。従って、この弁シート２８は、装着状態における緩衝体１６の体表面側に配置される。この排気口４６を介して、緩衝体１６の内部と外部とが繋げられている。
【００２６】
この人体保護用具２では、通気口３４は、傘部４０の外縁４８よりも内側に配置されている。前述したように、この傘部４０は上下に動く。この緩衝体１６の内圧が大気圧よりも高い場合、この傘部４０は上方に動き、この外縁４８が袋体２４の内面５０と接触する。この外縁４８と内面５０との接触により、この通気口３４を通じた気体の流通が遮蔽される。この傘部４０は、シールとして機能する。この緩衝体１６の内圧が大気圧よりも低い場合、この傘部４０が下方に動きこの外縁４８と内面５０とが離隔する。この外縁４８と内面５０との離隔により、この通気口３４を通じた気体の流通が可能となる。この緩衝体１６では、その内圧が下がると吸気弁２６を通じて気体が吸入される。この緩衝体１６の内圧が上がると気体の吸入が止まる。この吸気弁２６は、逆止弁として機能する。この緩衝体１６の内部への気体の吸入量は、この緩衝体１６に備えられる通気口３４の合計断面積が調整されることにより、制御される。なお、この吸気弁２６の位置及び構造は、この人体保護用具２の仕様が考慮されて適宜決められる。
【００２７】
この人体保護用具２では、緩衝体１６の内部にある気体は、弁シート２８を通じてこの緩衝体１６の外部に排出される。この緩衝体１６に備えられる排気口４６の合計断面積が調整されることにより、この緩衝体１６の外部への気体の排出量が制御される。この緩衝体１６は、排気口４６の合計断面積が、通気口３４の合計断面積よりも小さくなるように構成されている。従って、この人体保護用具２では、この緩衝体１６の内部に吸入される気体の単位時間当たりの量は、この緩衝体１６の外部に排出される気体の単位時間当たりの量よりも大きい。なお、この弁シート２８の位置及び構造は、この人体保護用具２の仕様が考慮されて適宜決められる。
【００２８】
図４は、図２の本体６の一部が示された拡大断面図である。この図４には、矢印線Ａで示される方向に衝撃が加えられた状態が示されている。衝撃が加えられることにより、袋体２４と多孔質体２２とが圧縮変形するので、この緩衝体１６の容積は減少する。このため、この緩衝体１６の内圧が上がる。前述したように、この袋体２４と多孔質体２２とは接合されているので、図４に示されているように、この袋体２４と多孔質体２２とは一体的に変形する。この袋体２４が、この多孔質体２２から浮き上がることはない。このため、この緩衝体１６の内圧は、この袋体２４と多孔質体２２とが接合されていない場合に比べて効果的に上昇する。なお、圧縮変形による袋体２４の多孔質体２２からの浮き上がりが小さい場合には、この浮き上がりによる緩衝効果の阻害の程度が小さくなるので、この袋体２４と多孔質体２２とが接合されなくてもよい。
【００２９】
この人体保護用具２を装着したヒト４が転倒して緩衝体１６が圧縮されると、この緩衝体１６の内圧は高まる。この緩衝体１６の外部に排出される気体の単位時間当たりの量は小さいので、この緩衝体１６は内圧が高められた状態を維持する。このため、この緩衝体１６は、エアースプリングとして機能し、転倒時におけるヒト４への衝撃を緩和する。
【００３０】
この人体保護用具２を装着したままヒト４が就寝すると、この緩衝体１６にはヒト４の体重がかかる。この場合においても、この緩衝体１６は圧縮されるので、この緩衝体１６の内圧が高まり、弁シート２８を通じて気体が徐々に排出される。気体が排出しつつ、多孔質体２２が荷重により容易に変形するので、この緩衝体１６は就寝時の体の動きに合わせて変形する。この緩衝体１６は、就寝しているヒト４に違和感を与えない。この人体保護用具２は、着用感に優れる。
【００３１】
この人体保護用具２を装着したヒト４が起床すると、緩衝体１６に掛かっていた荷重が除去される。圧縮により変形していた緩衝体１６は、その形状を復元していく。就寝時の圧縮変形により、この緩衝体１６の内部にある気体の量は減少している。この緩衝体１６の形状復元過程では、この緩衝体１６の体積が増えていく。この緩衝体１６の内圧は下がるので、吸気弁２６が開き、この吸気弁２６を通じてこの緩衝体１６の内部に気体が吸入される。前述したように、この緩衝体１６の内部に吸入される気体の単位時間当たりの量は大きいので、荷重が除去されてから短時間で緩衝体１６の形状は復元し、この緩衝体１６の内部に十分な量の気体が吸入される。このような緩衝体１６は、起床直後にヒト４が転倒した場合でも、骨折を防止できる。
【００３２】
この人体保護用具２では、吸気弁２６を通じて緩衝体１６に吸入された気体は、この弁シート２８からこの緩衝体１６と体表面との間に排出される。この気体の排出により、この緩衝体１６と体表面との間に滞留していた気体が外部に排出される。このようにして、この緩衝体１６と体表面との間において、換気が促される。この緩衝体１６には体表面側に通気層１８が設けられているので、この人体保護用具２は換気効率に優れる。特に、前述したようなヒト４の就寝時においては、ヒト４が寝返りをうつたびに気体が排出されるので、緩衝体１６と体表面との間で気体が滞留し、温度及び湿度が高められることはない。この人体保護用具２では、その装着による蒸れは、発生しない。この人体保護用具２は、蒸れの発生を防止するための部品を新たに追加する必要はない。この人体保護用具２では、生産コストが上げられることなく、蒸れ防止機能が付与されうる。なお、この緩衝体１６と体表面との間でこの緩衝体１６による換気がなされるのであれば、この人体保護用具２はこの通気層１８を備えなくてもよい。
【００３３】
この人体保護用具２の製造方法は、次の通りである。まず、袋体２４及びこの袋体２４に収容される多孔質体２２が形成される。この袋体２４には、この多孔質体２２が挿入されうる挿入口が形成されている。次に、この袋体２４の所定の箇所に、第一貫通孔３０、第二貫通孔３２及び通気口３４が打ち抜きによって形成される。次に、この第一貫通孔３０に吸気弁２６が取り付けられる。次に、この第二貫通孔３２に弁シート２８が取り付けられる。次に、この多孔質体２２の表面に、接着剤が塗布される。次に、この多孔質体２２が、この挿入口を通じてこの袋体２４に収容される。この接着剤の接着反応により、この袋体２４の内面５０と多孔質体２２の表面とが接合される。次に、この挿入口が、熱溶着によって閉じられる。このようにして、緩衝体１６が形成される。なお、この袋体２４の内面５０と多孔質体２２の表面とが、熱溶着で接合されてもよい。この多孔質体２２の表面に、液状のポリマー組成物が塗工されてこのポリマー組成物からなる袋体２４が形成されてもよい。ポリマー組成物の塗工によって得られた袋体２４は、多孔質体２２と強固に接合する。次に、この緩衝体１６の弁シート２８が配置されている平面２０に通気層１８が積層される。この緩衝体１６と通気層１８とは、接着剤等で接合される。このようにして、本体６が形成される。最後に、この本体６が、この通気層１８が装着状態における体表面側に位置するように装着体８に収容されて、図１に示された人体保護用具２が完成する。
【００３４】
多孔質体２２の気泡は、化学的又は物理的な処理が用いられることにより得られる。この処理としては、化学反応途中の揮発性のガスが利用される方法、炭酸水素ナトリウム、アゾジカルボンアミド、ニトロソペンタメチレンテトラミン等の発泡剤が利用される方法、及び攪拌による気体の巻き込みが利用される方法が例示される。連続気泡の好適な形成方法としては、爆発法及び溶出法が例示される。この爆発法では、高圧力の気体で気泡の壁が破裂されることにより、連続気泡が形成される。この溶出法では、炭酸カルシウムの微粉末が混合された材料から形成されたブロックが塩酸水溶液に漬けられる。この塩酸水溶液への浸積により、このブロックに混合された炭酸カルシウムが溶出される。この炭酸カルシウムの溶出により、連続気泡が形成される。
【００３５】
多孔質体２２の基材ポリマーとしては、合成樹脂及びゴムが例示される。合成樹脂としては、ポリウレタン、ポリエステル、ポリアミド、ポリオレフィン、ポリスチレン、ポリ塩化ビニル、エチレン−酢酸ビニル共重合体、シリコーン及び各種熱可塑性エラストマーが例示される。ゴムとしては、天然ゴム、ポリイソプレン、ポリブタジエン、ブタジエン−スチレン共重合体、アクリロニトリル−ブタジエン共重合体及びエチレン−プロピレン−ジエン共重合体が例示される。加工性の観点から、ポリウレタンが好ましい。ポリウレタンとしては、エステル系ポリウレタン及びエーテル系ポリウレタンが例示される。形状復元性の観点から、エーテル系ポリウレタンがより好ましい。
【００３６】
袋体２４の基材ポリマーとしては、ポリウレタン、ポリオレフィン、ポリ塩化ビニル、ナイロン及びポリエステルが例示される。ポリオレフィンの具体例としては、ポリエチレン及びポリプロピレンが挙げられる。材質の異なる複数のフィルムが積層されて、袋体２４が形成されてもよい。袋体２４の気密性が高められるために、フィルム状に加工されたアルミニウムが積層されたアルミラミネートフィルムがこの袋体２４に用いられてもよい。
【００３７】
吸気弁２６が構成される架橋ゴムの基材ゴムとしては、アクリロニトリル−ブタジエンゴム、水添アクリロニトリル−ブタジエンゴム、シリコーンゴム、フロロシリコーンゴム、エチレン−プロピレン−ジエンゴム、ブチルゴム、フッ素ゴム、イソプレンゴム、エピクロルヒドリンゴム、クロロプレンゴム、ウレタンゴム、スチレン−ブタジエンゴム及びアクリルゴムが例示される。なお、軟質な合成樹脂から、この吸気弁２６が形成されてもよい。
【００３８】
この人体保護用具２では、この本体６が乾燥剤を含んでもよい。この乾燥剤により、この緩衝体１６から外部に排出される気体が乾燥される。具体的には、この乾燥剤が多孔質体２２に練り込まれてもよい。乾燥剤が内包された乾燥シートが、この多孔質体２２の反体表面側の平面５２に積層されて袋体２４に収容されてもよい。この乾燥シートは、この多孔質体２２の体表面側の平面５２に積層されてもよい。この乾燥シートが、この多孔質体２２の両側の平面５２に積層されてもよい。この多孔質体２２と乾燥シートとは、緩衝体１６の衝撃緩和効果が維持されるために、接合されているのが好ましい。なお、この乾燥剤としては、シリカゲル、活性アルミナ、無水塩化カルシウム及び無水硫酸カルシウムが例示される。
【００３９】
以下、この緩衝体１６における気体の排出及び吸入の速度の測定方法が説明される。まず、緩衝体１６の平面３６に、縦が１４０ｍｍであり、横が１４０ｍｍであり、厚みが１．０ｍｍの鋼板が載置される。次に、この鋼板に、１１ｋｇの錘が載せられる。すると、緩衝体１６は徐々に変形し、やがて変形が停止する。錘が載せられてから変形が停止するまでの時間Ｔ１が、測定される。次に、錘がこの鋼板から降ろされる。すると緩衝体１６は徐々に復元し、やがて復元が停止する。錘がこの鋼板から降ろされてから復元が停止するまでの時間Ｔ２が、測定される。
【００４０】
骨折防止の観点から、時間Ｔ１は１．０秒以上が好ましく、２．０秒以上が特に好ましい。就寝時の着用感の観点から、時間Ｔ１は１０．０秒以下が好ましく、４．０秒以下が特に好ましい。起床直後の転倒によっても骨折が防止されるとの観点から、時間Ｔ２は１．０秒未満が好ましく、０．８秒以下が特に好ましい。時間Ｔ２は、通常は０．０１秒以上である。
【００４１】
図５は、本発明の他の実施形態に係る人体保護用具５４の本体５６が示された斜視図である。図６は、図５のVI−VI線に沿った断面図である。この本体５６は、緩衝体５８と、この緩衝体５８の一方の平面６０に通気層６２とを備えている。この本体５６のサイズ及び形状は、図２に示された本体５６と同じである。この本体５６は、図１に示された人体保護用具２と同じように、この通気層６２が装着状態における体表面側に位置するように、人体保護用具５４に収容される。この通気層６２は、図１の人体保護用具２の通気層６２と同じ構成とされている。この図５及び図６おいて、その下側は装着状態における体表面側であり、その上側は装着状態における反体表面側である。
【００４２】
緩衝体５８は、多孔質体６４と、袋体６６と、吸気手段としての吸気弁６８と、排気手段としての弁シート７０とを備えている。この緩衝体５８は、吸気弁６８及び弁シート７０の取付位置以外は、図１の人体保護用具２と同じ構成とされている。
【００４３】
吸気弁６８は、体表面側に位置している。図６に示されているように、この吸気弁６８は通気層６２で覆われている。弁シート７０は、反体表面側に位置している。なお、この人体保護用具５４では、この弁シート７０が体表面側に配置されてもよい。この弁シート７０が、この緩衝体５８の側面７２に配置されてもよい。
【００４４】
この人体保護用具５４では、緩衝体５８と体表面との間にある気体は、吸気弁６８を通じてこの緩衝体５８の内部に取り込まれて、弁シート７０を通じてこの緩衝体５８の外部に排出される。この緩衝体５８では、緩衝体５８と体表面との間に滞留して温度及び湿度が高められた気体が、この緩衝体５８の内部に吸入される。気体が緩衝体５８に吸入されると同時に、この緩衝体５８の外部から新鮮な気体がこの緩衝体５８と体表面との間に導入される。このため、この人体保護用具５４が装着されたヒト４が、蒸れを感じることはない。この人体保護用具５４では、通気層６２が備えられているので、この換気効率が高い。なお、この緩衝体５８と体表面との間でこの緩衝体５８による換気がなされるのであれば、この人体保護用具５４はこの通気層６２を備えなくてもよい。
【００４５】
この人体保護用具５４では、この本体５６が乾燥剤を含んでもよい。この乾燥剤により、この緩衝体５８から外部に排出される気体が乾燥される。具体的には、この乾燥剤が多孔質体６４に練り込まれてもよい。乾燥剤が内包された乾燥シートが、この多孔質体６４の反体表面側の平面７４に積層されて袋体６６に収容されてもよい。もよい。この乾燥シートが、この多孔質体６４の体表面側の平面７４に積層されてもよい。この乾燥シートが、この多孔質体６４の両側の平面７４に積層されてもよい。
【００４６】
この人体保護用具５４は、蒸れの発生を防止するための部品を新たに追加する必要はない。この人体保護用具５４では、生産コストが上げられることなく、蒸れ防止機能が付与されうる。
【実施例】
【００４７】
以下、実施例によって本発明の効果が明らかにされるが、この実施例の記載に基づいて本発明が限定的に解釈されるべきではない。
【００４８】
［実施例１］
図１に示された人体保護用具を得た。この人体保護用具には、図２に示された基本構成を備えており、表１に示された仕様の本体が収容されている。通気層は、緩衝体の体表面側に位置する平面に積層されている。この通気層は、三次元メッシュである。多孔質体は、その縦が１４０ｍｍであり、横が１４０ｍｍであり、そして厚みが２０ｍｍであるウレタンスポンジからなる。袋体の材質は、ポリプロピレンである。緩衝体の反体表面側に、吸気弁が取り付けられている。緩衝体の体表面側に、弁シートが取り付けられている。
【００４９】
［実施例２］
通気層を設けなかった他は実施例１と同様にして、人体保護用具を得た。
【００５０】
［比較例１］
弁シートを反体表面側に設け、通気層を設けなかった他は実施例１と同様にして、人体保護用具を得た。
【００５１】
［実施例３］
図１に示された人体保護用具を得た。この人体保護用具には、図５に示された基本構成を備えており、表１に示された仕様の本体が収容されている。通気層は、緩衝体の体表面側に位置する平面に積層されている。この通気層は、三次元メッシュである。多孔質体は、その縦が１４０ｍｍであり、横が１４０ｍｍであり、そして厚みが２０ｍｍであるウレタンスポンジからなる。袋体の材質は、ポリプロピレンである。緩衝体の体表面側に、吸気弁が取り付けられている。緩衝体の反体表面側に、弁シートが取り付けられている。
【００５２】
［実施例４及び５］
弁シートを体表面側に設け、通気層を設けなかった他は実施例３と同様にして、人体保護用具を得た。なお、実施例４の人体保護用具では、多孔質体に乾燥剤としてのシリカゲルが含まれている。
【００５３】
［実施例６及び７］
通気層を設けなかった他は実施例３と同様にして、人体保護用具を得た。なお、実施例６の人体保護用具では、多孔質体に乾燥剤としてのシリカゲルが含まれている。
【００５４】
［蒸れ性評価］
人体保護用具を装着し、その厚さが２０ｍｍとされたウレタンマットレスの上に寝転び、１分間に１回寝返りを行った。３０分経過後に、５点が満点とされた蒸れ性に関する官能評価を行った。この評価は、温度が２８℃、湿度が９５％に制御された評価室で行った。１０人のモニターから得られた結果の平均値が、評価結果として表示されている。この数値が大きいほど、この人体保護用具の装着による蒸れの発生が防止されており、その装着感に優れていることが示される。この評価結果が、下記の表１に示されている。
【００５５】
【表１】
2007119956.tif 000003
【００５６】
表１に示されるように、実施例の人体保護用具は、装着による蒸れの発生が防止されており、その装着感に優れている。この評価結果から、本発明の優位性は明らかである。
【産業上の利用可能性】
【００５７】
本発明に係る人体保護用具は、ヒトの膝、肘等の防護にも使用されうる。
【図面の簡単な説明】
【００５８】
【図１】図１（ａ）は本発明の一実施形態に係る人体保護用具の使用状態が示された正面図であり、図１（ｂ）はその側面図であり、図１（ｃ）はその背面図である。
【図２】図２は、図１の人体保護用具の本体が示された一部切り欠き斜視図である。
【図３】図３は、図２のIII−III線に沿った断面図である。
【図４】図４は、図２の本体の一部が示された拡大断面図である。
【図５】図５は、本発明の他の実施形態に係る人体保護用具の本体が示された斜視図である。
【図６】図６は、図５のVI−VI線に沿った断面図である。
【符号の説明】
【００５９】
２、５４・・・人体保護用具
４・・・ヒト
６、５６・・・本体
８・・・装着体
１０・・・ベルト
１２・・・尻当て
１４・・・ポケット
１６、５８・・・緩衝体
１８、６２・・・通気層
２０、３６、５２、６０、７４・・・平面
２２、６４・・・多孔質体
２４、６６・・・袋体
２６、６８・・・吸気弁
２８、７０・・・弁シート
３０・・・第一貫通孔
３２・・・第二貫通孔
３４・・・通気口
３８・・・支持体
４０・・・傘部
４２、７２・・・側面
４４・・・筒体
４６・・・排気口
４８・・・外縁
５０・・・内面
【図１】
2007119956.tif 000004
【図２】
2007119956.tif 000005
【図３】
2007119956.tif 000006
【図４】
2007119956.tif 000007
【図５】
2007119956.tif 000008
【図６】
2007119956.tif 000009